(57)【特許請求の範囲】
【請求項１】
光ディスクを着脱自在に装着する装着部と、
前記装着部に装着された前記光ディスクの向きを前記光ディスクに設けられたマークを利用して所定の向きに位置合せするための位置合せ手段と、
前記装着部に装着された前記光ディスクを回転駆動する回転駆動部と、
前記装着部に装着された前記光ディスクの半径方向に移動自在に支持されて前記光ディスクにレーザ光を照射する光ピックアップと、
前記装着部に装着された前記光ディスクに向けて熱可逆性記録媒体を第１の状態にする第１の温度で発熱する記録部と、
前記装着部に装着された前記光ディスクに向けて前記熱可逆性記録媒体を第２の状態にする第２の温度で発熱する消去部と、
前記装着部に装着されて前記位置合せ手段に位置合せされた前記光ディスクの面内で前記熱可逆性記録媒体に可視情報が記録されるように前記記録部を駆動制御する記録手段と、
前記装着部に装着された前記光ディスクの面内で前記熱可逆性記録媒体が前記第２の状態にされるように前記消去部を駆動制御する消去手段と、
を備える光ディスク装置。
【請求項２】
前記位置合せ手段は、前記回転駆動部に回転駆動されて回転する前記光ディスクに設けられた前記マークを検出してその検出結果に基づき前記光ディスクを位置決めする請求項１記載の光ディスク装置。
【請求項３】
前記位置合せ手段は、前記光ディスクに設けられた前記熱可逆性記録媒体の端面形状によって形成された前記マークを検出する請求項２記載の光ディスク装置。
【請求項４】
前記位置合せ手段は、前記光ディスクに設けられた前記マークが位置合せされる前記装着部に設けられた位置表示マークである請求項１記載の光ディスク装置。
【請求項５】
前記光ディスクの外周部を回転自在の摩擦車の摩擦力によって回転させる摩擦回転機構を備える請求項４記載の光ディスク装置。
【請求項６】
前記装着部は、装着された前記光ディスクを固定する固定手段を備える請求項１ないし５のいずれか一記載の光ディスク装置。
【請求項７】
前記固定手段は、前記光ディスクを挟持する一対のアームを前記光ディスクの挟持方向に付勢及び付勢解除することによって前記光ディスクを固定及び固定解除する請求項６記載の光ディスク装置。
【請求項８】
前記固定手段は、前記光ディスクが載置される高摩擦シートである請求項６記載の光ディスク装置。
【請求項９】
前記装着部は、前記光ディスクの周囲を覆うように配置された柔軟な保護部材を備える請求項１、２、３、４、５、６又は８記載の光ディスク装置。
【請求項１０】
熱可逆性記録媒体からなるラベルと、
光ディスク装置に設けられた装着部への装着に際して所定の向きに位置合わせするための基準となるマークと、
を備える光ディスク。
【請求項１１】
前記マークは、前記装着部に装着された場合に上向きとなる一面に印刷により記録されている請求項１０記載の光ディスク。
【請求項１２】
前記マークは、前記装着部に装着された場合に上向きとなる一面に設けられた熱可逆性記録媒体の端面形状によって形成されている請求項１０記載の光ディスク。
【請求項１３】
前記マークは、初期化処理によってデータエリア外の光情報記録層に形成されたコントラストである請求項１０記載の光ディスク。
【発明の詳細な説明】
【０００１】
【発明の属する技術分野】
本発明は、光ディスクに対してアクセスする光ディスク装置に関する。
【０００２】
【従来の技術】
近年、ディスク状のメディアにピットや磁気によるデジタル情報を記録した各種のディスク状メディアが普及しており、これらは一般的に、光ディスクと総称されている。このような光ディスクの種類としては、音楽用ＣＤやＣＤ−ＲＯＭ、あるいはＤＶＤのような情報が予め記録されているものの他、一度だけ書き込みが可能な追記型光ディスク、何度でも書き換えが可能な書換型光ディスクがあり、いずれも急速に普及している。
【０００３】
一方、予め情報が記録されている光ディスクには、その記録内容を表示したりデザイン性を高めたりする目的でラベル、いわゆるインデックスラベルが付加されているのが一般的である。例えば、音楽ＣＤにはそのラベル面にタイトルや曲名が所定の絵柄と共に印刷されているのが一般的であるし、ＣＤ−ＲＯＭにはその記録内容が所定の絵柄と共に印刷されているのが一般的である。
【０００４】
これに対し、追記型光ディスクや書換型光ディスクでは、ユーザ自らが所望の情報を書き込むという使い方がなされるので、予め所定事項を印刷したインデックスラベルを付加するわけにはいかない。このため、このような種類の光ディスクでは、そのケースに記録内容を書き込めるようにしてあるのが一般的である。しかしながら、追記型や書換型の光ディスクにも、予め情報が印刷されている音楽ＣＤ等に付加されているようなインデックスラベルを設け、このインデックスラベルにユーザが所望事項を書き込むことができれば便利である。このようなことから、追記型光ディスクに付加されたインデックスラベルに所望事項を印刷できるようにした印刷装置が商品化されている。あるいは、特開平９−２６５７６０号公報には、光ディスクに対して情報の記録・再生を行う光ディスク装置にそのような印刷機構を内蔵させた発明が開示されている。
【０００５】
【発明が解決しようとする課題】
ところが、上述した既に商品化されている印刷装置にしても、特開平９−２６５７６０号公報に開示された発明にしても、光ディスクのラベル面に一回に限り所定事項を印刷することができるにすぎない。このため、書換型光ディスクのように、その記録内容を書き換えることができる光ディスクには不向きである。このような書換型光ディスクでは、その記録情報の書き換えに応じてラベルに記録された記録内容も書き換える必要が生ずるからである。
【０００６】
なお、特開平９−２８２８３６号公報には、インデックスラベルとして液晶／高分子複合膜を用いることでそのラベル面の表示内容を複数回書き換えることができるようにした発明が開示されている。ところが、液晶／高分子複合膜はその厚みが厚いため、ディスク面に液晶／高分子複合膜を形成した場合には光ディスク全体の厚みが増えすぎて光ディスクの回転に不具合が生じたり、レーザ光による情報の読み取りや書き込みに不具合が生じたりするため、実用化が困難である。
【０００７】
本発明の目的は、光ディスクのラベル面に何度でも所定の可視情報を書き換え記録できるようにすることである。
【０００８】
本発明の別の目的は、光ディスクのラベル面に対する可視情報の書き換え記録を正しい位置に行なうことができるようにすることである。
【０００９】
本発明の別の目的は、光ディスクのラベル面に対する可視情報の書き換え記録を複雑な操作なしに正しい位置に行なうことができるようにすることである。
【００１０】
本発明の別の目的は、光ディスクのラベル面に対する可視情報の書き換え記録を複雑な構造を用いることなく正しい位置に行なうことができるようにすることである。
【００１１】
本発明のさらに別の目的は、光ディスクのラベル面に対する可視情報の書き換え記録に際して装置の損傷を防止することである。
【００１２】
【課題を解決するための手段】
請求項１記載の光ディスク装置の発明は、光ディスクを着脱自在に装着する装着部と、装着部に装着された光ディスクの向きを光ディスクに設けられたマークを利用して所定の向きに位置合せするための位置合せ手段と、装着部に装着された光ディスクを回転駆動する回転駆動部と、装着部に装着された光ディスクの半径方向に移動自在に支持されて光ディスクにレーザ光を照射する光ピックアップと、装着部に装着された光ディスクに向けて熱可逆性記録媒体を第１の状態にする第１の温度で発熱する記録部と、装着部に装着された光ディスクに向けて熱可逆性記録媒体を第２の状態にする第２の温度で発熱する消去部と、装着部に装着されて位置合せ手段に位置合せされた光ディスクの面内で熱可逆性記録媒体に可視情報が記録されるように記録部を駆動制御する記録手段と、装着部に装着された光ディスクの面内で熱可逆性記録媒体が第２の状態にされるように消去部を駆動制御する消去手段と、を備える。
【００１３】
したがって、熱可逆性記録媒体がラベルとして付加された光ディスクを装着部に装着すれば、記録手段によって記録部を駆動制御して記録部を第１の温度に発熱させることで熱可逆性記録媒体が第１の状態となり、熱可逆性記録媒体からなるラベルに所定の可視情報が記録される。この際、装着部に装着された光ディスクの向きは、光ディスクに設けられたマークが利用されて位置合せ手段によって所定の向きに位置合せされる。これにより、熱可逆性記録媒体からなるラベルに対する可視情報の記録が適正位置になされる。また、消去手段によって消去部を駆動制御して消去部を第２の温度に発熱させることで熱可逆性記録媒体が第２の状態となり、熱可逆性記録媒体からなるラベルの可視情報が消去される。そして、このような可視情報の記録消去は、何度でも繰り返し実行可能である。
【００１４】
請求項２記載の発明は、請求項１記載の光ディスク装置において、位置合せ手段は、回転駆動部に回転駆動されて回転する光ディスクに設けられたマークを検出してその検出結果に基づき光ディスクを位置決めする。この場合のマーク検出は、光学的手法等、各種の手法を用いて行ない得る。
【００１５】
したがって、熱可逆性記録媒体からなるラベルへの可視情報の記録に際し、位置合せ手段によって光ディスクの向きが可視情報記録のための適正位置に自動設定される。
【００１６】
請求項３記載の発明は、請求項２記載の光ディスク装置において、位置合せ手段は、光ディスクに設けられた熱可逆性記録媒体の端面形状によって形成されたマークを検出する。
【００１７】
したがって、光ディスクにマークを別途設けることなく、光ディスクの向きが位置合せ手段によって可視情報記録のための適正位置に自動設定される。
【００１８】
請求項４記載の発明は、請求項１記載の光ディスク装置において、位置合せ手段は、光ディスクに設けられたマークが位置合せされる装着部に設けられた位置表示マークである。
【００１９】
したがって、光ディスクに設けられた熱可逆性記録媒体からなるラベルへの可視情報の記録に際し、装着部の位置表示マークに光ディスクのマークを合せることで、光ディスクが可視情報記録のための適正位置に位置合せされる。
【００２０】
請求項５記載の発明は、請求項４記載の光ディスク装置において、光ディスクの外周部を回転自在の摩擦車の摩擦力によって回転させる摩擦回転機構を備える。
【００２１】
したがって、摩擦車を回転させると光ディスクが回転し、これによって、装着部の位置表示マークに光ディスクのマークを合せる作業が容易となる。
【００２２】
請求項６記載の発明は、請求項１ないし５のいずれか一記載の光ディスク装置において、装着部は、装着された光ディスクを固定する固定手段を備える。
【００２３】
したがって、光ディスクに設けられた熱可逆性記録媒体からなるラベルへの可視情報の記録に際し、光ディスクが固定手段によって固定されるので、光ディスクが変位してしまうようなことがない。よって、可視情報が適正位置に正しく記録される。
【００２４】
請求項７記載の発明は、請求項６記載の光ディスク装置において、固定手段は、光ディスクを挟持する一対のアームを光ディスクの挟持方向に付勢及び付勢解除することによって光ディスクを固定及び固定解除する。この場合、アームが光ディスクの挟持方向に付勢されることで光ディスクが固定されるようにしても良く、アームが光ディスクの挟持方向に付勢解除されることで光ディスクが固定されるようにしても良い。
【００２５】
したがって、一対のアームが光ディスクの挟持方向に付勢又は付勢解除されることにより、光ディスクが固定される。同様に、一対のアームが光ディスクの挟持方向に付勢又は付勢解除されることにより、光ディスクの固定が解除される。
【００２６】
請求項８記載の発明は、請求項６記載の光ディスク装置において、固定手段は、光ディスクが載置される高摩擦シートである。
【００２７】
したがって、高摩擦シートと光ディスクとの摩擦によって光ディスクが装着部に固定される。つまり、高摩擦シートと光ディスクとの間の摩擦は、光ディスクを装着部に固定するという観点から決定される。
【００２８】
請求項９記載の発明は、請求項１、２、３、４、５、６又は８記載の光ディスク装置において、装着部は、光ディスクの周囲を覆うように配置された柔軟な保護部材を備える。
【００２９】
したがって、光ディスクに設けられた熱可逆性記録媒体からなるラベルへの可視情報の記録又は消去時、記録部及び消去部が光ディスクの端面から離脱する際に、記録部及び消去部は保護部材に当接する。これにより、柔軟な保護部材に記録部及び消去部が保護され、その損傷等が防止される。したがって、保護部材の柔軟性の程度は、記録部材及び消去部材を保護するという観点から決定される。
【００３０】
請求項１０記載の光ディスクの発明は、熱可逆性記録媒体からなるラベルと、光ディスク装置に設けられた装着部への装着に際して所定の向きに位置合わせするための基準となるマークと、を備える。
【００３１】
したがって、第１の温度に発熱させることで熱可逆性記録媒体が第１の状態となり、熱可逆性記録媒体からなるラベルに所定の可視情報が記録される。この際、光ディスク装置の装着部に光ディスクを装着するに際し、光ディスクに設けられたマークは光ディスクの向きを位置合せするのに役立つ。そして、光ディスクの向きが適正位置に合されていれば、熱可逆性記録媒体からなるラベルに対する可視情報の記録が適正位置になされる。また、第２の温度に発熱させることで熱可逆性記録媒体が第２の状態となり、熱可逆性記録媒体からなるラベルの可視情報が消去される。そして、このような可視情報の記録消去は、何度でも繰り返し実行可能である。
【００３２】
請求項１１記載の発明は、請求項１０記載の光ディスクにおいて、マークは、装着部に装着された場合に上向きとなる一面に印刷により記録されている。
【００３３】
したがって、印刷によって容易にマークが形成される。
【００３４】
請求項１２記載の発明は、請求項１０記載の光ディスクにおいて、マークは、装着部に装着された場合に上向きとなる一面に設けられた熱可逆性記録媒体の端面形状によって形成されている。
【００３５】
したがって、光ディスクにマークを別途設けることなく、熱可逆性記録媒体の端面形状によってマークが形成される。
【００３６】
請求項１３記載の発明は、請求項１０記載の光ディスクにおいて、マークは、初期化処理によってデータエリア外の光情報記録層に形成されたコントラストである。
【００３７】
したがって、光ディスクにマークを別途設けることなく、初期化処理によってデータエリア外の光情報記録層に形成されたコントラストによってマークが形成される。
【００３８】
【発明の実施の形態】
本発明の第一の実施の形態を図１ないし図５及び図１５に基づいて説明する。
【００３９】
まず、本実施の形態の光ディスク装置に用いられる光ディスク１を図１及び図１５に基づいて説明する。図１は光ディスクの断面図、図１５は熱可逆性記録媒体の特性を示すグラフである。
〔ラベル〕
光ディスク１は、その一面に、熱可逆性記録媒体としての可逆表示記録層２からなるラベル３（図２ないし図４参照）を有する。可逆表示記録層２の材料としては、常温では透明度又は色調が保持されながら、エネルギーを印可することにより透明度又は色調が可逆的に変化するような材料であればどのようなものでも良い。この場合、印可されるエネルギーとしては、光、熱、電界、磁気などが挙げられる。このようエネルギーによって透明度又は色調が変化する材料としては、例えば、エレクトロクロミック材料、フォトクロミック材料、双方向安定性（Ｂｉｓｔａｂｌｅ）液晶材料、マイクロカプセル中に磁気材料を入れた磁気カプセルタイプなどの磁気表示記録材料、熱可逆記録材料などが挙げられる。但し、用いるエネルギーとしては、安定性とコストとの面から、熱エネルギーが好適である。
【００４０】
可逆表示記録層２の具体的な材料としては、熱により透明度や色調が可逆的に変化するものであればどのようなものでも良いが、エネルギーの印可ないしに常温で色調や透明度が異なる２以上の形態を保持できることが望ましい。例えば、ポリマーを２種以上混合してその相溶状態の違いで透明、白濁に変化するもの（特開昭６１−２５８８５３号公報）、液晶高分子の相変化を利用したもの（特開昭６２−６６９９０号公報、第２頁右上欄第３行目〜第４頁左上欄第１７行目）、常温より高い第１の特定温度で第１の色の状態となり、第１の特定温度よりも高い第２の特定温度で加熱し、その後冷却することにより第２の色の状態となるもの、などが挙げられる。
【００４１】
特に、第１の特定温度に加熱した後と、第１の特定温度より高い第２の特定温度に加熱した後とで透明度や濁度、色調などの色の状態が変化するものは、温度を制御しやすいために好ましい。このようなものの具体例としては、塩化ビニル樹脂などの熱可逆性樹脂中に脂肪酸などの長鎖低分子を分散し第１の特定温度で透明状態となり、第２の特定温度で白濁状態となるもの（特開昭５５−１５４１９８号公報）、特定の樹脂と脂肪酸等が用いられることで第１の特定温度で白濁状態となり、第２の特定温度で透明状態となるもの（特開平３−１６９５９０号公報）、ロイコ染料と長鎖アルキル顕色剤を用い第２の特定温度に加熱後、黒、赤、青等に発色し、第１の特定温度で消色するもの（特開平２−１８８２９３号公報、特開平２−１８８２９４号公報）等が挙げられる。
【００４２】
これらの中でも、ロイコ染料を用いたものはコントラストが良いため好適である。また、ロイコ染料を用いたタイプの中でも、長鎖アルキル顕色剤を用いたものは発色と消色との温度を制御しやすいため、好ましい。さらに、脂肪酸などの有機低分子物質を樹脂中に分散したものであって第１の特定温度で透明状態となり第２の特定温度に加熱後に白濁状態となるものは、変化が物理的変化であるために保存安定性が良く、感度及び耐久性も良いという利点があるので好ましい。
【００４３】
ここで、本実施の形態では、可逆表示記録層２の一例として、熱可逆性材料からなるいわゆるＴＣフィルムが用いられている。このような熱可逆性材料は、図１５にその特性を示すように、加えられた熱によってその透明度や色調が可逆的に変化し、常温で透明度又は色調が２種類以上の形態で保持される構造のものである。
【００４４】
より詳細には、本実施の形態の可逆表示記録層２の場合、温度Ｔ２から温度Ｔ３の間の温度に加熱すると透明になり、その後、温度Ｔ０以下の常温に戻っても透明状態が維持される。そして、温度Ｔ４以上に加熱すると半透明状態になり、その後、温度Ｔ０以下の常温に戻ると白濁する。このような現象が生ずるのは、可逆表示記録層２を構成する樹脂母材中に分散した有機低分子物質の粒子と樹脂母材とが隙間なく密着し、かつ、有機低分子物質の粒子部内にも空隙がない状態において、片側から入射した光は散乱することなく反対側に透過するために可逆表示記録層２が透明に見え、これに対し、有機低分子物質の粒子の微細な結晶が集合して多結晶で構成されると、結晶の界面もしくは粒子と樹脂母材との界面に隙間が生じ、片側から入射した光が空隙と結晶、結晶と樹脂の界面で屈折・反射して散乱するために可逆表示記録層２が白く見えるためである。
〔光ディスク構造〕
次いで、光ディスク１の構造としては、図２に示すように、図示しない案内溝を有する円盤状の基板４の一面に、第１誘電体層５、光情報記録層６、第２誘電体層７、反射放熱層８、中間層９、及び可逆表示記録層２が順に積層され、基板４の反対側の面にハードコート層１０が積層されている。
【００４５】
基板４は、ガラス、セラミックス、あるいは樹脂により形成される。これらのうち、成形性やコストの面から樹脂が望ましい。樹脂の例としては、ポリカーボネート樹脂、アクリル樹脂、エポキシ樹脂、ポリスチレン樹脂、アクリロニトロールスチレン共重合体樹脂、ポリエチレン樹脂、ポリプロピレン樹脂等が挙げられるが、成形性、光学特性、コストの点で優れているのはポリカーボネート樹脂やアクリル樹脂である。また、基板４の形状として、本実施の形態では円盤状が選択されているが、実施に当たってはこれに限らず、例えば、カード状やシート状であっても良い。もっとも、基板４には、０．２５〜０．６５μｍ、望ましくは０．３０〜０．５５μｍ程度の幅の案内溝を形成しておく必要がある。この案内溝は、トラッキング用である。
【００４６】
光情報記録層６は、１５〜３５ｎｍ程度の厚みに形成されている。この光情報記録層６の材料としては、Ａｇ，Ｉｎ，Ｓｂ，Ｔｅの４元素を含む相変化型記録記録材料を主成分として含有する材料が適している。このような材料は、光情報記録層６として用いた場合、記録（結晶化）感度・速度、消去（非晶化）感度・速度及び消去比が極めて良好だからである。もっとも、光情報記録層６の厚みとしては、１５〜３５ｎｍに限らず、１０〜１００ｎｍ程度、望ましくは１５〜５０ｎｍ程度であっても良いが、１５〜３５ｎｍという値は、ジッタ等の初期特性、オーバーライト特性、量産効率等を考慮した場合に望ましい。なお、光情報記録層６が１０ｎｍよりも薄くなると、光吸収能が著しく低下し、光情報記録層６としての役割を果たさなくなってしまう。
【００４７】
第１誘電体層５及び第２誘電体層７の材料としては、ＳｉＯ、ＳｉＯ２、ＺｎＯ、ＳｎＯ２、Ａｌ２Ｏ３、ＴｉＯ２、Ｉｎ２Ｏ３、ＭｇＯ、ＺｒＯ２等の金属酸化物や、Ｓｉ３Ｎ４、ＡｉＮ、ＴｉＮ、ＢＮ、ＺｒＮ等の窒化物、ＺｎＳ、Ｉｎ２Ｓ３、ＴａＳ４等の硫化物等が用いられる。そして、第１誘電体層５の膜厚は６０〜２００ｎｍ、望ましくは８０〜１１０ｎｍ程度が良い。また、第２誘電体層７の膜厚は１５〜４５ｎｍ、望ましくは２０〜４０ｎｍ程度か良好である。第２誘電体層７の膜厚が１５ｎｍよりも薄くなると、耐熱性保護層としての機能を果たさなくなってしまい、また、感度の低下ももたらす。これに対し、第２誘電体層７の膜厚が４５ｎｍよりも厚くなると、Ｏ／Ｗ特性が劣化する。
【００４８】
反射放熱層は、Ａｌ、Ａｕ、Ａｇ、Ｃｕ、Ｔａ等の金属材料、あるいはこれらの合金等の公知の反射放熱部材によって膜厚７０〜１８０ｎｍに形成されている。もっとも、そのような金属、半導体、合金は、微量の他の添加元素を含んでいても良い。例えば、Ａｌ合金にはＴｉやＮが含まれていても良い。添加元素の他の例としては、Ｃｒ、Ｔｉ、Ｓｉ、Ｃｕ、Ａｇ、Ｐｄ、Ｔａ等が挙げられる。
【００４９】
中間層９は、必要に応じて設けられる。中間層９は、好ましくは樹脂を主体とした材料で構成されている。具体的には、アクリル系やメイクリル系モノマーを主体とした紫外線硬貨樹脂が用いられている。このような中間層９は、スピンコートなどの塗工方法により形成され、光情報記録層６や反射放熱層８を保護する機能と、可逆表示記録層２を反射放熱層８に接着する機能とを有する。その膜厚は、０．５〜２０μｍ程度が好ましい。
【００５０】
基板４の反対側の面に形成されるハードコート層１０としては、スピンコートで作成した紫外線硬化樹脂が一般的に用いられる。その厚さは２〜６μｍが適当である。２μｍ以下では十分な体摩耗性が得られず、６μｍ以上になると内部応力が大きくなってディスクの機械的特性に大きく影響を与えてしまう。
〔光ディスク装置〕
次に、光ディスク装置１１について説明する。図２は光ディスク装置１１における装着部（ディスクトレイ）の移動構造を示す平面図、図３は光ディスク１の向きの制御動作を説明するための光ディスク１と記録消去ヘッドとの平面図、図４は光ディスク１に設けられたラベル３に対する記録動作を説明するためのラベル３と記録消去ヘッドとの模式図である。本実施の形態の光ディスク装置１１は、光ディスク１を装着するための装着部としてのディスクトレイ１２を備え、このディスクトレイ１２に装着された光ディスク１を図示しないディスクモータで回転駆動し、ディスクトレイ１２に装着された光ディスク１に後述する光ピックアップ３７によってレーザ光を照射して光ディスク１に対する情報記録及び光ディスク１に記録された情報の再生を行う構造となっている。このような光ディスク１に対する情報記録及び情報再生を行なうために、光ピックアップ３７には、レーザダイオードとこのレーザダイオードから照射されたレーザ光を対物レンズを介して光ディスク１の記録面にスポット照射させる照射光学系と、光ディスク１の反射光からレファレンス信号、トラッキング信号及びフォーカシング信号を得るために各種受光部に光ディスク１の反射光を導く戻り光学系とが搭載されている（すべて図示せず）。照射光学系と戻り光学系とは、多くの光学部品を共用する。
【００５１】
本実施の形態の光ディスク装置１１は、フロントローディングタイプである。つまり、図２に示すように、光ディスク１が装着されるディスクトレイ１２は、光ディスク装着位置１３と光ディスク収納位置１４との間を移動自在に設けられている。そのメカニズムとして、ディスクトレイ１２は、互いに平行に設けられたガイドシャフト１５とモータ１６に駆動されて回転するヘリカルギヤ軸１７とに支持されている。つまり、ディスクトレイ１２は、ガイドシャフト１５にスライド自在に取り付けられ、ヘリカルギヤ軸１７に螺合している。したがって、モータ１６によってヘリカルギヤ軸１７が回転駆動されると、ディスクトレイ１２は、光ディスク装着位置１３と光ディスク収納位置１４との間をガイドシャフト１５及びヘリカルギヤ軸１７の軸方向に沿って移動する。このようなディスクトレイ１２の移動に際し、ディスクトレイ１２は、光ディスク装着位置１３に位置する場合には第１マイクロスイッチ１８及び第２マイクロスイッチ１９をスイッチオンし、光ディスク収納位置１４に位置する場合には第２マイクロスイッチ１９及び第３マイクロスイッチ２０をスイッチオンする。このような第１〜第３マイクロスイッチ１８〜２０のスイッチ投入状態を検出することにより、ディスクトレイ１２がどの位置に位置するかが認識される。
【００５２】
次いで、本実施の形態の光ディスク装置１１は、印字部及び消去部としての記録消去ヘッド２１を備える。この記録消去ヘッド２１は、図示しない多数の発熱素子がライン上に配設されたサーマルヘッドからなり、後述するコントローラ２２に駆動制御されて各発熱素子を第１の温度と第２の温度との二種類の発熱エネルギーで選択的に発熱させる。つまり、記録消去ヘッド２１における発熱素子の第１の温度は、光ディスク１に付加されたラベル３を温度Ｔ４以上に加熱する温度であり、発熱素子の第２の温度は、ラベル３を温度Ｔ２から温度Ｔ３の間の温度に加熱する温度である。ここで、記録消去ヘッド２１は、ディスクトレイ１２の移動方向と直行する方向に延出するガイドシャフト２３にスライド自在に取り付けられたキャリッジ２４に搭載されている。キャリッジ２４に搭載された記録消去ヘッド２１における発熱素子の配列方向は、ディスクトレイ１２に装着された光ディスク１の半径方向と直行する方向である。このようなキャリッジ２４は、一対のプーリ２５にベルト２６が掛け渡されて一方のプーリ２５が図示しないモータに駆動されて回転駆動されるベルト巻き掛け機構によって駆動され、ガイドシャフト２３に沿ってスライド移動する。そして、キャリッジ２４がホームポジションに位置する場合にスイッチオンする第４マイクロスイッチ２７が設けられ、この第４マイクロスイッチ２７によってキャリッジ２４のホームポジションが検出される。さらに、キャリッジ２７には、反射型の光センサ２８が搭載されている。この光センサ２８は、ディスクトレイ１２にセットされた光ディスク１に光を照射してその反射光を受光し、その出力が、光ディスク１の片面に設けられたラベル３の有無判別のために用いられる。
【００５３】
ここで、光ディスク１を保持するディスクトレイ１２は、ディスクトレイ１２上に光ディスク１を固定する固定手段２９を備える。この固定手段２９は、支点３０を中心としてディスクトレイ１２に回動自在に取り付けられて光ディスク１を挟持自在である一対のアーム３１と、これらのアーム３１の一端間に圧縮状態で保持されたコイルスプリング３２と、アーム３１の他端間に挟持されるカム３３とによって構成されている。つまり、アーム３１はコイルスプリング３２に付勢されて回動することで光ディスク１を挟持する。アーム３１には、光ディスク１の挟持位置にパッド３４を備えている。そして、カム３３が回動することでアーム３１は従動節となって回動し、これによってアーム３１による光ディスク１の挟持固定が解除されるような構造となっている。
【００５４】
さらに、光ディスク装置１１は、ホストコンピュータ３５に駆動制御されるドライバ回路３６を内蔵する。このドライバ回路３６は、ホストコンピュータ３５にバス接続されたコントローラ２２に対し、光ピックアップ３７、記録消去ヘッド２１、各種モータドライバ３８及び光センサ２８等の各種センサ３９がバス接続されて構成された回路である。このような回路構成の下、コントローラ２２は、光ピックアップ３７が備えるレーザダイオードからのレーザ光の照射タイミングや照射強度等を制御し、記録消去ヘッド２１の各発熱素子の発熱の有無、発熱タイミング及び発熱温度等を制御し、各種モータドライバ３８に対するモータ１６、ディスクモータ及びピックアップモータ等の駆動制御信号のタイミング等を制御する。つまり、ホストコンピュータ３５はＲＯＭに格納された動作プログラムに従い動作する各種演算処理を実行して各部を集中的に制御するＣＰＵの統括制御の下、コントローラ２２に各種駆動制御信号を付与し、これらの駆動制御信号に基づいてコントローラ２２が各部を駆動制御する。
【００５５】
例えば、ホストコンピュータ３５は、記録消去ヘッド２１の各発熱素子を第１の温度で発熱させるための信号と第２の温度で発熱させるための信号とを選択的にコントローラ２２に付与する記録手段及び消去手段としての機能を果たす。したがって、ホストコンピュータ３５が内蔵するＲＯＭに格納された動作プログラムに従ったＣＰＵによる記録消去ヘッド２１の駆動制御により、印字手段及び消去手段の機能が実行される。この場合、ホストコンピュータ３５は、図示しないキーボード等によって、記録消去ヘッド２１によるラベル３への書込み情報の入力を受け付け、入力された情報に基づく書込み信号を出力する。この際、ホストコンピュータ３５に内蔵された印字バッファに書込み情報が一旦展開され、この印字バッファに展開された書込みデータに基づいて書込み信号が出力されることになる。
【００５６】
また、ホストコンピュータ３５は、光ディスク１を回転駆動するための図示しないディスクモータの回転駆動信号をコントローラ２２に付与して光ディスク１を所定の向きに位置合せするための位置合せ手段としての機能を果たす。したがって、ホストコンピュータ３５が内蔵するＲＯＭに格納された動作プログラムに従ったＣＰＵによるディスクモータの駆動制御等により、位置合せ手段の機能が実行される。
【００５７】
このような構成において、光ディスク１のラベル３に対する情報の記録・消去動作について説明する。まず、ディスクトレイ１２が光ディスク装着位置１３に位置する状態でディスクトレイ１２に光デスク１をセットする。この際、カム３３は一対のアーム３１を押し広げるような回動位置に位置するため、アーム３１による光ディスク１の挟持は行なわれない。そこで、この状態のままディスクトレイ１２がモータ１６に駆動されて機内に搬入される。その過程で、光ディスク１は図示しない回転駆動部としてのディスクモータに駆動されて回転し、同時に、光ディスク１の面上をキャリッジ２４に搭載された光センサ２８が走査する。これにより、光ディスク１に設けられたラベル３の端面が光センサ２８に検出される（図３参照）。これにより、ディスクモータが停止処理され、光ディスク１がその位置に位置付けられる。このときの光ディスク１の停止位置は、半ドーナツ形状であるラベル３の端面３ａを含む直線が記録消去ヘッド２１を搭載するキャリッジ２４の移動方向と直行するような位置である（図４参照）。ここに、ディスクトレイ１２に装着された光ディスク１の向きを光ディスク１に設けられたラベル３の端面３ａを利用して所定の向きに位置合わせする位置合わせ手段の機能が実行される。したがって、本実施の形態においては、ラベル３の端面３ａが光ディスク１に設けられたマークの機能を果たす。
【００５８】
ここで、光ディスク１の回転駆動速度が充分に低速であれば、光ディスク１に設けられたラベル３の端面３ａが光センサ２８に検出されると同時に光ディスク１を停止させて適正位置に位置付けることが可能である。これに対し、光ディスク１が高速度で回転駆動される場合には、ラベル３の端面３ａが光センサ２８に検出されてから光ディスク１を停止させたのでは光ディスク１がオーバーランしてしまうことが考えられる。そこで、このような場合には、光ディスク１を駆動する図示しないディスクモータにエンコーダを付加して光ディスク１の位置を認識することで、光ディスク１がオーバーランしても光ディスク１を適正位置に位置付けることが容易になされる。
【００５９】
こうして、光ディスク１が位置合せされると、カム３３が駆動されて回転し、一対のアーム３１にアーム３１が互いに近接する方向の移動を許容する。これにより、光ディスク１はアーム３１に挟持されてディスクトレイ１２上で確実に位置固定される。この状態で、ディスクトレイ１２を光ディスク収納位置１４の方向に移動させながらキャリッジ２４を往復動させるこで、光ディスク１上を記録消去ヘッド２１で走査する（図４参照）。これにより、光ディスク１のラベル３に対する可視情報の記録消去が可能となる。
【００６０】
光ディスク１のラベル３を可視情報不記録状態にするには、ホストコンピュータ３５によって記録消去ヘッド２１を駆動制御してその発熱素子を第２の温度に発熱させる。すると、光ディスク１のラベル３が温度Ｔ２から温度Ｔ３の間の温度に昇温されてラベル３は透明な状態となる。この際、記録消去ヘッド２１の全ての発熱素子が駆動され、このような状態の記録消去ヘッド２１が光ピックアップ３７の移動に伴い光ディスク１の半径方向に移動するため、ラベル３は全面的に透明状態となる。そして、ラベル３の透明状態は、昇温後に常温に戻るとそのまま保持される。
【００６１】
ついで、ラベル３に所定の可視情報を記録する場合には、ラベル３を透明状態にする処理を実行した後、ホストコンピュータ３５によって記録消去ヘッド２１を駆動制御してその発熱素子を第１の温度に発熱させる。すると、光ディスク１のラベル３が温度Ｔ４以上に昇温されて白濁した第１の状態となる。この際、光ピックアップ３７の移動に伴う光ディスク１の半径方向への記録消去ヘッド２１の移動と記録消去ヘッド２１の各発熱素子の光ディスク１の半径方向と直行する方向の配列とが考慮されてホストコンピュータ３５は書込み信号を出力するため、ラベル３にはホストコンピュータ３５に入力された所望の可視情報が記録される。このようなラベル３に対する可視情報の記録消去は、何度でも繰り返し実行可能である。
【００６２】
なお、本実施の形態では、光ディスク１に設けられたラベル３の端面３ａが光ディスク１に設けられたマークの機能を果たすような例を紹介したが、実施に当たっては、マークとして、光ディスク１の表面に設けた印刷や、光ディスク１の初期化処理によってデータエリア外の光情報記録層６に形成されたコントラスト等をマークとして用いても良い。
【００６３】
本発明の第二の実施の形態を図６及び図７に基づいて説明する。第一の実施の形態と同一部分は同一符号で示し説明も省略する。本実施の形態は、ディスクトレイ１２にセットされた光ディスク１のラベル３に対する可視情報の記録・消去時において、記録消去ヘッド２１を保護するための構造に関する。つまり、本実施の形態では、第一の実施の形態で用いた固定手段２９が採用されず、ディスクトレイ１２にはドーナツ状の保護部材４１が設けられている。この保護部材４１は、光ディスク１の直径と略同一の直径を持った光ディスク装着部４２を中心孔部分に備え、光ディスク１の厚みよりも僅かに薄く形成されている。そして、保護部材４１には、柔軟な材質が用いられている。
【００６４】
このような構成において、記録消去ヘッド２１を用いたラベル３への可視情報記録消去時、記録消去ヘッド２１は、保護部材４１によって保護される。つまり、保護部材４１が設けられていないとすると、ラベル３の全面に渡り可視情報の記録消去を行なう場合には、光ディスク１の段差によって記録消去ヘッド２１が光ディスク１から脱落し（図７（ａ）参照）、記録消去ヘッド２１の耐磨耗層にクラックが入ったり、記録消去ヘッド２１におけるヒータとドライバとの間のボンディング接続が断線したりするという不都合が生じやすい。これに対し、保護部材４１が設けられていれば、ラベル３の全面に渡り可視情報の記録消去を行なう場合であっても、光ディスク１の段差によって脱落しようとする記録消去ヘッド２１が保護部材４１によって保護され、記録消去ヘッド２１の破損が生じない。これにより、記録消去ヘッド２１が保護され、反射的に、記録消去ヘッド２１によるラベル３の全面に渡る菓子情報の記録消去が不都合なく可能となる。
【００６５】
本発明の第三の実施の形態を図８ないし図１０に基づいて説明する。第二の実施の形態と同一部分は同一符号で示し説明も省略する。本実施の形態では、保護部材４１において、光ディスク装着部４２に連絡する一部が抉り取られたような形状の光ディスク取外し部５１が形成されている。また、ディスクトレイ１２には、光ディスク１の装着面に高摩擦シート５２が設けられている。この高摩擦シート５２は、高摩擦のシート状部材であって、光ディスク１と接触する表面側に多数個の凹部５３が形成された構造のものである。このような高摩擦シート５２は、光ディスク１を位置固定する固定手段として機能する。
【００６６】
さらに、本実施の形態では、第一及び第二の実施の形態において用いられている光ディスク１の自動位置決め制御が行なわれず、これに代えて、保護部材４１の表面に一対の位置表示マーク５４が設けられている。これらの位置表示マーク５４は、それらの位置表示マーク５４を結ぶ直線に光ディスク１上のラベル３の端面３ａを位置合せすることによって、光ピックアップ１を適性位置に位置合わせすることができるような位置に配置されている。
【００６７】
このような構成において、ディスクトレイ１２に光ディスク１をセットする際、位置表示マーク５４に光ディスク１のラベル３の端面３ａを位置合せすることで、光ディスク１はディスクトレイ１２に正しく位置決めされる。これにより、光ディスク１のラベル３に対する可視情報の記録・消去が正しく行なわれる。この際、ディスクトレイ１２にセットされた光ディスク１は、高摩擦シート５２に摩擦作用によって位置固定される。そして、ディスクトレイ１２から光ディスク１を取り外す場合には、光ディスク取外し部５１に指を入れることで光ディスク１を容易に取り外すことが可能となる。
【００６８】
図１１及び図１２は、本実施の形態の変形例を示す。第三の実施の形態では、ディスクトレイ１２にセットされた光ディスク１の取り外し作業を容易化する目的で、保護部材４１に光ディスク取外し部５１が設けられているが、同一の目的を達成するために、ディスクトレイ１２上の保護部材４１を一部切り欠き、この切り欠き部分に光ディスク取外し孔５５を設けても良い。光ディスク取外し孔５５は、例えば図１１に示すように、ディスクトレイ１２にセットされた光ディスク１の外周面の一部を含む領域に形成されている。そこで、ディスクトレイ１２にセットされた光ディスク１を取り外すには、ディスクトレイ１２が光ディスク装着位置１３に位置する状態でディスクトレイ１２の裏面側から光ディスク取外し孔５５に指を入れ、光ディスク１を押し上げるようにすれば良い。これにより、光ディスク１を容易に取り外すことができる。
【００６９】
本発明の第四の実施の形態を図１３及び図１４に基づいて説明する。第三の実施の形態と同一部分は同一符号で示し説明も省略する。本実施の形態では、図１１及び図１２に示す第三の実施の形態の変形例のように、保護部材４１の一部が切り欠かれている。そして、ディスクトレイ１２には、この切欠き部分に位置させて、後述する摩擦車６１を装着するための小孔６２が形成されている。この小孔６２に装着される摩擦車６１は、図１４に示すように、小孔６２に挿入される軸部６３の周囲に、断面逆台形状をしたドラム状の摩擦体６４とローレット状の把持部６５とが固定されて形成されいている。摩擦体６４は、小孔６２に軸部６３が挿入された状態で光ディスク１の外周部に圧接されるような外形に形成されている。
【００７０】
このような構成において、ディスクトレイ１２に光ディスク１をセットする際、位置表示マーク５４に光ディスク１のラベル３の端面３ａを位置合せすることで、光ディスク１はディスクトレイ１２に正しく位置決めされる。そのために、本実施の形態では、ディスクトレイ１２に光ディスク１をセットした後、小孔６２に摩擦車６１の軸部６３を挿入する。これにより、摩擦体６４が光ディスク１の外周部に当接し、この状態で把持部６５を持って摩擦車６１を回転させることで、光ディスク１は摩擦体６４との摩擦力によって回転駆動される。つまり、小孔６２に摩擦車６１を挿入することで、光ディスク１を摩擦力によって回転させる摩擦回転機構６６が構成される。そこで、光ディスク１のラベル３の端面３ａが保護部材４１に形成された位置表示マーク５４に位置合せされるまで摩擦車６１を回転させることで、光ディスク１はディスクトレイ１２に正しく位置決めされる。
【００７１】
【発明の効果】
請求項１記載の光ディスク装置の発明は、装着部に装着された光ディスクに向けて熱可逆性記録媒体を第１の状態にする第１の温度で発熱する記録部を記録手段で駆動制御して光記録媒体にラベルとして付加された熱可逆性記録媒体に所定の可視情報を記録し、熱可逆性記録媒体を第２の状態にする第２の温度で発熱する消去部を消去手段で駆動制御して熱可逆性記録媒体に記録された可視情報を消去するようにしたので、光ディスクのラベルに何度でも所定の可視情報を書き換え記録することができる。しかも、光ディスクに対して情報の記録や再生等を実行することができる装置に組み込まれているので、光ディスクのラベルに対して可視情報を記録・消去する装置を別途設ける必要がなく、装置を安価に実現することができる。また、装着部に装着された光ディスクの向きを光ディスクに設けられたマークを利用して所定の向きに位置合せするための位置合せ手段を設けたので、装着部に装着された光ディスクの向きを、光ディスクに設けられたマークを利用して位置合せ手段によって所定の向きに位置合せすることができ、これにより、熱可逆性記録媒体からなるラベルに対する可視情報の記録を適正位置に行なうことができる。
【００７２】
請求項２記載の発明は、請求項１記載の光ディスク装置において、位置合せ手段を、回転駆動部に回転駆動されて回転する光ディスクに設けられたマークを検出してその検出結果に基づき光ディスクを位置決めするように構成したので、熱可逆性記録媒体からなるラベルへの可視情報の記録に際し、位置合せ手段によって光ディスクの向きを可視情報記録のための適正位置に自動設定することができる。したがって、光ディスクのラベル面に対する可視情報の書き換え記録を複雑な操作なしに正しい位置に行なうことができる。
【００７３】
請求項３記載の発明は、請求項２記載の光ディスク装置において、位置合せ手段を、光ディスクに設けられた熱可逆性記録媒体の端面形状によって形成されたマークを検出するように構成したので、光ディスクにマークを別途設けることなく、光ディスクの向きを位置合せ手段によって可視情報記録のための適正位置に自動設定することができる。
【００７４】
請求項４記載の発明は、請求項１記載の光ディスク装置において、位置合せ手段を、光ディスクに設けられたマークが位置合せされる装着部に設けられた位置表示マークとしたので、光ディスクに設けられた熱可逆性記録媒体からなるラベルへの可視情報の記録に際し、装着部の位置表示マークに光ディスクのマークを合せることで、光ディスクを可視情報記録のための適正位置に位置合せすることができる。したがって、光ディスクのラベル面に対する可視情報の書き換え記録を複雑な構造を用いることなく正しい位置に行なうことができる。
【００７５】
請求項５記載の発明は、請求項４記載の光ディスク装置において、光ディスクの外周部を回転自在の摩擦車の摩擦力によって回転させる摩擦回転機構を備えるので、摩擦車を回転させることで光ディスクを回転させることができ、したがって、装着部の位置表示マークに光ディスクのマークを合せる作業を容易にすることができる。
【００７６】
請求項６記載の発明は、請求項１ないし５のいずれか一記載の光ディスク装置において、装着部は、装着された光ディスクを固定する固定手段を備えるので、光ディスクに設けられた熱可逆性記録媒体からなるラベルへの可視情報の記録に際し、光ディスクの変位を防止することができる。したがって、可視情報を適正位置に正しく記録することができる。
【００７７】
請求項７記載の発明は、請求項６記載の光ディスク装置において、固定手段を、光ディスクを挟持する一対のアームを光ディスクの挟持方向に付勢及び付勢解除することによって光ディスクを固定及び固定解除するように構成したので、光ディスクを確実に固定及び固定解除することができる。
【００７８】
請求項８記載の発明は、請求項６記載の光ディスク装置において、固定手段を、光ディスクが載置される高摩擦シートとしたので、簡易な構造によって光ディスクを装着部に固定することができる。
【００７９】
請求項９記載の発明は、請求項１、２、３、４、５、６又は８記載の光ディスク装置において、装着部に、光ディスクの周囲を覆うように配置された柔軟な保護部材を設けたので、光ディスクに設けられた熱可逆性記録媒体からなるラベルへの可視情報の記録又は消去時、記録部及び消去部が光ディスクの端面から離脱する記録部及び消去部を保護部材で保護することができ、例えば、記録部及び消去部の耐磨耗層にクラックが入ってしまったり、ヒータとドライバとの間のボンディングが切断されてしまったりするような事故を防止することができる。
【００８０】
請求項１０記載の光ディスクの発明は、熱可逆性記録媒体からなるラベルと光ディスク装置に設けられた装着部への装着に際して所定の向きに位置合わせするための基準となるマークとを備えるので、光ディスクのラベルに何度でも所定の可視情報を書き換え記録することができる。また、装着部に装着する光ディスクの向きを、光ディスクに設けられたマークを利用して所定の向きに位置合せすることができ、これにより、熱可逆性記録媒体からなるラベルに対する可視情報の記録を適正位置に行なうことができる。
【００８１】
請求項１１記載の発明は、請求項１０記載の光ディスクにおいて、マークを、装着部に装着された場合に上向きとなる一面に印刷により記録したので、印刷によってマークを簡易に形成することができる。
【００８２】
請求項１２記載の発明は、請求項１０記載の光ディスクにおいて、マークを、装着部に装着された場合に上向きとなる一面に設けられた熱可逆性記録媒体の端面形状によって形成したので、光ディスクにマークを別途設けることなく、熱可逆性記録媒体の端面形状によってマークを簡易に形成することができる。
【００８３】
請求項１３記載の発明は、請求項１０記載の光ディスクにおいて、マークを、初期化処理によってデータエリア外の光情報記録層に形成されたコントラストによって形成したので、光ディスクにマークを別途設けることなく、初期化処理によってデータエリア外の光情報記録層に形成されたコントラストによってマークを簡易に形成することができる。
【図面の簡単な説明】
【図１】本発明の第一の実施の形態を示す光ディスクの縦断側面図である。
【図２】光ディスク装置における装着部（ディスクトレイ）の移動構造を示す平面図である。
【図３】光ディスクの向きの制御動作を説明するための光ディスクと記録消去ヘッドとの平面図である。
【図４】光ディスクに設けられたラベルに対する記録動作を説明するためのラベルと記録消去ヘッドとの模式図である。
【図５】制御系のブロック図である。
【図６】本発明の第二の実施の形態を示す光ディスクと保護部材との平面図である。
【図７】ラベルに対する記録消去動作時の記録消去ヘッドに対する保護部材の保護作用を説明するための側面図である。
【図８】本発明の第三の実施の形態を示す光ディスクと保護部材との平面図である。
【図９】その側面図である。
【図１０】高摩擦シートの断面形状を示す高摩擦シートと光ディスクとの縦断側面図である。
【図１１】本発明の第三の実施の形態の変形例を示す光ディスクと保護部材との平面図である。
【図１２】その側面図である。
【図１３】本発明の第四の実施の形態を示す装着部（ディスクトレイ）と光ディスクとの平面図である。
【図１４】摩擦回転機構を示す側面図である。
【図１５】熱可逆性記録媒体の特性を示すグラフである。
【符号の説明】
１        光ディスク
２        熱可逆性記録媒体
３        ラベル
３ａ      マーク（端面）
６        光情報記録層
１２      装着部（ディスクトレイ）
２１      記録部，消去部（記録消去ヘッド）
２９      固定手段
３１      アーム
３７      光ピックアップ
４１      保護部材
５２      高摩擦シート
５４      位置表示マーク
６１      摩擦車
６６      摩擦回転機構
【図１】
0003570668.tif 000002
【図２】
0003570668.tif 000003
【図３】
0003570668.tif 000004
【図４】
0003570668.tif 000005
【図５】
0003570668.tif 000006
【図６】
0003570668.tif 000007
【図７】
0003570668.tif 000008
【図８】
0003570668.tif 000009
【図９】
0003570668.tif 000010
【図１０】
0003570668.tif 000011
【図１１】
0003570668.tif 000012
【図１２】
0003570668.tif 000013
【図１３】
0003570668.tif 000014
【図１４】
0003570668.tif 000015
【図１５】
0003570668.tif 000016